(57)【特許請求の範囲】
【請求項１】
手摺りとブラケットとを有する手摺り装置を施工面に取り付ける方法において、上面を手摺り面とする長尺の手摺り本体の両側にその長手方向に沿って垂下脚部を形成し、該それぞれの垂下脚部の下端部を互いに内方に折曲して水平摺動棚を形成し、さらに該水平摺動棚の先端部を上方に折曲して立ち上げ支持片を形成し、該手摺り内に形成された空間を係合摺動間隙とするとともに、ブラケットの固定部に突出形成された支持棹の先端部に、水平支持板と該水平支持板の両端部に形成された垂下摺動係合片とを設けて係合保持部を形成し、必要数のブラケットのそれぞれの係合保持部を上記手摺りの端部から上記係合摺動間隙内に嵌挿し摺動自在に保持した後、該ブラケットの固定部を施工面に固着する手摺りの取り付け方法であって、上記必要数のブラケットのそれぞれの係合保持部を上記手摺りの端部から上記係合摺動間隙内に嵌挿し摺動自在に保持した後に、手摺りの両端部を端部用ブラケットを介して施工面に固着し、この端部用ブラケットで施工面に固定された手摺りによってブラケットが摺動自在に保持された状態で、ブラケットそれぞれの位置決め作業を行い、その後、必要数のブラケットの固定部を施工面に固着することを特徴とする手摺りの取り付け方法。
【発明の詳細な説明】
【技術分野】
【０００１】
本願発明は手摺りに関するものであり、詳しくは、手摺りとブラケットとからなる手摺り取り付け装置を用いて手摺りを施工面に簡単に取り付ける方法に関するものである。
【背景技術】
【０００２】
従来、特開２００７−４６２７６号公報に記載のように、手摺りと手摺りを固定するブラケットとを備えた手摺り取り付け構造は知られている。
【０００３】
上記手摺り取り付け構造は、上記特許文献１の図１に示されるように、手摺りと、手摺りを固定するブラケットとを備えた手摺り取り付け構造において、手摺りの下側に手摺りの長手方向にわたって溝をつけることで凹部を設け、ブラケットに凸部を設けて、ブラケットの凸部を上記凹部に嵌合することによって、手摺りとブラケットとを接合している。
【０００４】
また、手摺りに接合されたブラケットは、手摺りを支える支持部材に取り付けられており、ブラケットは支持部材に対して回動できるように取り付けられている。そして、施工が容易な手摺り取り付け構造を提供できるとその効果が述べられている。
【先行技術文献】
【特許文献】
【０００５】
【特許文献１】特開２００７−４６２７６号公報
【発明の概要】
【発明が解決しようとする課題】
【０００６】
しかしながら、上記特許文献１に記載の手摺りの取り付け構造においては、上記特許文献１の図１に示されるように、ブラケットを支持するための支持部材を必要とするため、すっきりとした仕上がりにすることができないという問題がある。
【０００７】
また、支持部材の凹部とブラケットの平板部とをビス留めする必要があり、必ずしも施工性よく手摺りを壁面等の施工面に取り付けられるとはいえない。
【０００８】
本願発明は上記背景技術に鑑みてなしたものであり、その目的は、手摺りとブラケットとからなる取り付け装置を用いて手摺りを施工性よく、簡単に施工面に取り付ける方法を提供することである。
【課題を解決するための手段】
【０００９】
上記課題を解決するために、本願請求項１に記載の発明に係る手摺りの取り付け方法は、手摺りとブラケットとを有する手摺り装置を施工面に取り付ける方法において、上面を手摺り面とする長尺の手摺り本体の両側にその長手方向に沿って垂下脚部を形成し、該それぞれの垂下脚部の下端部を互いに内方に折曲して水平摺動棚を形成し、さらに該水平摺動棚の先端部を上方に折曲して立ち上げ支持片を形成し、該手摺り内に形成された空間を係合摺動間隙とするとともに、ブラケットの固定部に突出形成された支持棹の先端部に、水平支持板と該水平支持板の両端部に形成された垂下摺動係合片とを設けて係合保持部を形成し、必要数のブラケットのそれぞれの係合保持部を上記手摺りの端部から上記係合摺動間隙内に嵌挿し摺動自在に保持した後、該ブラケットの固定部を施工面に固着することを特徴としている。
【００１０】
上記手摺りの材質としては、押出し成形等で容易に成形できるポリ塩化ビニル、ポリプロピレン、ＡＢＳ等のプラスチックやアルミニウム、鉄等の金属等が用いられる。また、上記ブラケットとしては、同様にプラスチックや金属を一体成形したものが用いられる。
【００１１】
上記ブラケットの係合保持部は手摺り内に形成された係合摺動間隙をスライドするとともに、しっかりと保持されるため金型加工を精密に行ってガタつかないように、手摺りにタイトに嵌挿するように作製される。
【００１２】
更に、本願請求項１に記載の発明に係る手摺りの取り付け方法は、上記手摺りの取り付け方法において、必要数のブラケットのそれぞれの係合保持部を上記手摺りの端部から上記係合摺動間隙内に嵌挿し摺動自在に保持した後に、手摺りの両端部を端部用ブラケットを介して施工面に固着し、この端部用ブラケットで施工面に固定された手摺りによってブラケットが摺動自在に保持された状態で、ブラケットそれぞれの位置決め作業を行い、その後必要数のブラケットの固定部を施工面に固着することを特徴としている。
【発明の効果】
【００１３】
本願請求項１記載の発明に係る手摺りの取り付け方法においては、長尺の手摺り本体の両側面に垂下脚部が垂設され、該垂下脚部の下端部を互いに内方に折曲して水平摺動棚を形成してそれぞれの水平摺動棚の先端部を上方に折曲し、立ち上げ支持片を設けて手摺り内に係合摺動間隙を形成するとともに、ブラケットの施工面への固定部から突出形成された支持棹の先端部には、上記係合摺動間隙に摺動自在に嵌挿される係合保持部が一体的に形成されているため、該係合摺動間隙に予め嵌挿されたブラケットの位置決めも該ブラケットをスライドさせることにより簡単に行うことが可能であり、また、位置決め後、直ちにブラケットの固定部を施工面にビス固定できその作業が簡単になる。
【００１４】
また、該位置決めされたブラケットを固定するだけで、手摺りとブラケットとの固定を、別途の固定具を用いることなく、同時に簡単に行うことができる。
【００１５】
そのため、従来、手摺りの固定とブラケットとの施工面への固定を２工程で行う場合に比較して、本願発明の手摺りの取り付け方法は、手摺りの取り付け作業を効率よく簡単に行うことができる。
【００１６】
更に、本願請求項１記載の発明に係る手摺りの取り付け方法においては、必要数のブラケットを上記係合摺動間隙内に摺動自在に保持した後、エンドカバーが一体的に付設された端部用ブラケットで手摺りの両端部を施工面に固着するため、上記エンドカバーが、手摺りの端部をカバーして施蓋するため、手摺りを見栄えよく施工面に取り付けることができる。
【００１７】
また、手摺り本体が端部用ブラケットで施工面に固定された状態で、ブラケットを摺動自在に保持できるので、ブラケットの位置決め作業をさらに効率よく簡単に行うことができ、また、ブラケットの位置決め後のその固定部の施工面への固定作業も手摺り本体が既に固定されているため、極めて容易にビス固定でき、従って、ブラケットの位置決めや取り付け作業を効率よく行うことができる。
【図面の簡単な説明】
【００１８】
【図１】本願発明に係る手摺りの取り付け装置を示す分解斜視図。
【図２】本発明に係る手摺りの取り付け装置を断面図。
【図３】（ａ）は本願発明に係る端部用ブラケットを示す斜視図、（ｂ）は本願発明に係る手摺りを施工面に固着した状態を示す正面図。
【発明を実施するための形態】
【００１９】
以下、本願発明に係る手摺りの取り付け方法の実施形態について図面を参照して詳細に説明する。図１は本願発明に係る手摺りの取り付け装置を示す分解斜視図である。
【００２０】
図１に示すように、上記手摺りの取り付け装置は、手摺り１とブラケット２とから構成されている。手摺り１は、その上面を手摺り面１２とする長尺の手摺り本体１１と、その両側の長手方向に沿って垂設された垂下脚部１３、１３と該それぞれの垂下脚部１３、１３の下端部を互いに内方に折曲して形成された水平摺動棚１４、１４と、該それぞれの水平摺動棚１４、１４の先端部を上方に折曲して形成された立ち上げ支持片１５、１５とから成っている。上記のように構成された手摺り１内の空間には係合摺動間隙１６が形成される。
【００２１】
ブラケット２は、該ブラケット２を施工面へ固定するための固定部２１と、該固定部２１から前方上方に突出形成された支持棹２２と、その先端部に一体的に形成された係合保持部２３とからなり、該係合保持部２３は水平支持板２３１と該水平支持板２３の両端部に垂設された垂下摺動係合片２３２とから構成される。また固定部２１には、施工面へビス等を用いて固定する際の固定用ビス孔２１１が穿たれている。
【００２２】
次に、図１および図２を参照して上記手摺りの取り付け装置を用いて手摺り１を施工面Ｗに固着する方法について説明する。まず、手摺り本体１１内に形成された上記係合摺動間隙１６に、ブラケット２に形成した係合保持部２３を手摺り本体１１の端部から嵌挿して必要数のブラケット２を該係合摺動間隙１６内に摺動自在に保持する。
【００２３】
次に、複数個のブラケット２の相互間の距離や施工面Ｗの取り付け耐性強度を考慮してブラケット２の各固定位置を決定し、それぞれのブラケット２の固定部２１に形成した固定用ビス孔２１１を貫通させた固定用ビス４で各ブラケット２を施工面Ｗに固定し、手摺り本体１１の手摺り面１２の内面がブラケット２の係合片保持部２３に支承されるようにする。
【００２４】
このとき、手摺り１とブラケット２とはプラスチック、例えばポリ塩化ビニル、ポリプロピレン等の熱可塑性樹脂を押出し成形したものが用いられる。また、手摺り１とブラケット２とは同一の樹脂、例えばポリ塩化ビニルを用いて金型加工を精密にして仕上げることにより、上記係合保持部２３が係合摺動間隙１６内にタイトに嵌挿して所望の位置にスムースに移動できるとともに、所定の位置でしっかりと固定される。
【００２５】
次に図３を参照して本願発明の他の実施形態を説明する。この実施形態においては、予め、手摺り１の係合摺動間隙１６内に必要数のブラケット２の係合片保持部２３を摺動自在に保持するとともに、手摺り１の両端部を手摺り本体１１の両端部に装着された端部用ブラケット３、３を介して施工面に固着し、その後、摺動自在に保持されたブラケット２を適宜の間隔で施工面に固着する。
【００２６】
図３（ａ）は上記端部用ブラケット３を示す斜視図である。図３（ａ）に示すように、前記したブラケット２の支持棹２２と一体的に形成された係合保持部２３にはエンドカバー３１が付設されている。このエンドカバー３１は手摺り本体１１の端部をカバーして見栄えよく施蓋するとともに、端部用ブラケット３は手摺り１の両端部をしっかりと施工面に固着する。
【００２７】
図３（ｂ）は上記のようにして手摺り１を施工面に固定用ビス４で固着した状態を示す正面図である。本実施形態においては、まず端部用ブラケット３の係合保持部２３を手摺り本体１１の両端部内に形成された上記係合摺動間隙１６にしっかりと嵌挿してその両端部を施工面に固着し、その後、予め保持された例えば２個のブラケット２を等間隔で、又は適宜間隔で、配設して固定用ビス４でビス固定する。
【００２８】
このようにすることにより、手摺り本体１１が施工面に固定された状態でブラケット２を摺動自在に保持できるので、ブラケット２を、位置決めした後直ちに施工面にビス固定できる。従って、ブラケット２の位置を決めや取り付け作業を効率よく行うことができる。
【００２９】
以上述べたように、本願発明を実施することにより、従来手摺りとブラケットとの固定、ブラケットと施工面との固定と二つの工程で行われていた手摺りの取り付け作業を効率よく簡単に行うことができる。
【００３０】
なお、本実施形態においては、ブラケットの施工面への固定部から突出して形成された支持棹は断面略逆Ｊ字型であるが、これに限定されず断面略Ｌ字型であってもよい。このように本願発明は設計変更自在であり、特許請求の範囲を逸脱しない限り、本願発明の技術的範囲に含まれる。
【符号の説明】
【００３１】
１      手摺り
１１    手摺り本体
１２    手摺り面
１３    垂下脚部
１４    水平摺動棚
１５    立ち上げ支持片
１６    係合摺動間隙
２      ブラケット
２１    固定部
２１１  固定用ビス孔
２２    支持棹
２３    係合保持部
２３１  水平支持板
２３２  垂下摺動係合片
３      端部用ブラケット
３１    エンドカバー
４      固定用ビス
Ｗ      施工面
【図１】
0005625738.tif 000002
【図２】
0005625738.tif 000003
【図３】
0005625738.tif 000004